(57)【要約】    【課題】  水栓スタンド内部に浸入した浸入水を水抜き孔から確実に排出させ、浸入水の排出効率を高めることのできる水栓スタンドの浸入水排出構造及び水栓スタンドの水切部材を提供すること。    【解決手段】  ホース２が引き出し自在に挿通される筒状の水切部材４０の後端に、水栓スタンド１０の傾斜部の下方向に向けて突設される案内傾斜部６２を形成し、案内傾斜部６２よりも下方の水栓スタンド１０の側壁面に第二排出口２６を設けた。また、第二排出口２６は、浸入水が落ち込むように形成された流入口の下部に設けた。また、水切部材４０に、ホース２外周面を露呈させる開口部５０を形成し、開口部５０内に、水栓スタンド１０の傾斜部の下方向に向けて突設される案内突起５４を形成した。    【選択図】    図３
2007016454.tif 000002
【特許請求の範囲】
【請求項１】
ホースが引き出し自在に挿通されるとともに、鉛直方向に対して傾斜した傾斜部を備えた水栓スタンドの内部に浸入する浸入水を排出するための水栓スタンドの浸入水排出構造であって、
前記傾斜部の内部には、ホースが引き出し自在に挿通される筒状の水切部が備えられ、該水切部の後端には、前記傾斜部の下方向に向けて突設される案内傾斜部が形成され、
該案内傾斜部よりも下方の前記水栓スタンドの側壁面には、浸入水の排出口が設けられたことを特徴とする水栓スタンドの浸入水排出構造。
【請求項２】
ホースが引き出し自在に挿通されるとともに、鉛直方向に対して傾斜した傾斜部を備えた水栓スタンドの内部に浸入する浸入水を排出するための水栓スタンドの浸入水排出構造であって、
前記傾斜部の内部には、ホースが引き出し自在に挿通される筒状の水切部が備えられ、該水切部のうち前記傾斜部の下方向に位置する部位に、ホース外周面を露呈させる開口部が形成され、該開口部内に、前記傾斜部の下方向に向けて突設される案内突起が形成され、
該案内突起よりも下方の前記水栓スタンドの側壁面には、浸入水の排出口が設けられたことを特徴とする水栓スタンドの浸入水排出構造。
【請求項３】
ホースが引き出し自在に挿通されるとともに、鉛直方向に対して傾斜した傾斜部を備えた水栓スタンドの内部に浸入する浸入水を排出するための水栓スタンドの浸入水排出構造であって、
前記傾斜部の下側寄りの内部には、浸入水が落ち込むように形成された流入口が形成され、
該流入口の下部には、浸入水の排出口が設けられたことを特徴とする水栓スタンドの浸入水排出構造。
【請求項４】
ホースが引き出し自在に挿通されるとともに、鉛直方向に対して傾斜した傾斜部を備えた水栓スタンドの内部に浸入する浸入水を排出するための水栓スタンドの浸入水排出構造であって、
請求項１に記載の前記案内傾斜部と前記排出口と、請求項２に記載の前記開口部、前記案内突起及び前記排出口とが備えられたことを特徴とする水栓スタンドの浸入水排出構造。
【請求項５】
ホースが引き出し自在に挿通されるとともに、鉛直方向に対して傾斜した傾斜部を備えた水栓スタンドの内部に浸入する浸入水を排出するための水栓スタンドの浸入水排出構造であって、
請求項１に記載の前記案内傾斜部及び前記排出口と、請求項３に記載の前記流入口及び前記排出口とが備えられたことを特徴とする水栓スタンドの浸入水排出構造。
【請求項６】
ホースが引き出し自在に挿通されるとともに、鉛直方向に対して傾斜した傾斜部を備えた水栓スタンドの内部に浸入する浸入水を排出するための水栓スタンドの浸入水排出構造であって、
請求項２に記載の前記開口部、前記案内突起及び前記排出口と、請求項３に記載の前記流入口及び前記排出口とが備えられたことを特徴とする水栓スタンドの浸入水排出構造。
【請求項７】
ホースが引き出し自在に挿通されるとともに、鉛直方向に対して傾斜した傾斜部を備えた水栓スタンドの内部に浸入する浸入水を排出するための水栓スタンドの浸入水排出構造であって、
請求項１に記載の前記案内傾斜部及び前記排出口と、請求項２に記載の前記開口部、前記案内突起及び前記排出口と、請求項３に記載の前記流入口及び前記排出口とが備えられたことを特徴とする水栓スタンドの浸入水排出構造。
【請求項８】
水栓スタンドのホースが引き出し自在に挿通可能に設けられる筒状の水切部材であって、その後端には、案内傾斜部が突設されたことを特徴とする水栓スタンドに装着可能な水切部材。
【請求項９】
水栓スタンドのホースが引き出し自在に挿通可能に設けられる筒状の水切部材であって、ホース外周面を露呈させる開口部が形成され、該開口部内に、前記傾斜部の下方向に向けて突設される案内突起が形成されたことを特徴とする水栓スタンドの水切部材。
【請求項１０】
水栓スタンドのホースが引き出し自在に挿通可能に設けられる筒状の水切部材であって、請求項８に記載の前記案内傾斜部と、請求項９に記載の前記開口部及び前記案内突起とが備えられたことを特徴とする水栓スタンドの水切部材。
【請求項１１】
前記案内突起が、水栓スタンドの本体に対する係止突起と兼用されたものであることを特徴とする請求項２、請求項４、請求項６または請求項７のいずれかに記載の水栓スタンドの浸入水排出構造若しくは請求項９または請求項１０に記載の水栓スタンドの水切部材。
【発明の詳細な説明】
【技術分野】
【０００１】
本発明は、水栓スタンドの浸入水排出構造及び水栓スタンドの水切部材に関する。
【背景技術】
【０００２】
従来、洗面台等にシャワー装置等を立設するための水栓スタンドが知られている。このような水栓スタンドでは、シャワーヘッド等の吐水具に接続されたホースが、水栓スタンドの本体から引き出し自在に取り付けられており、洗面ボウル等の所望の位置でシャワー散水を得ることができるものも知られている。このような水栓スタンドでは、ホースが挿通される水栓スタンドの先端の開口部の隙間等から水栓スタンド内部に湯水が浸入し、ホースを伝って洗面台下側のキャビネット内等に湯水が垂れるおそれがあるため、ホースに伝わって滴下する湯水を貯める水受けタンクをキャビネット等に設けるものがあった。しかしながら、水受けタンクの設置費用が余分にかかってしまうことや、キャビネットの収納スペースが水受けタンクの設置によって制約されてしまう問題があるため、水栓スタンドに内部と連通する水抜き孔を設け、この水抜き孔から、水栓スタンドの内部に浸入した湯水を水栓スタンド外部に排出し洗面ボウル内等に流すような浸入水排出構造を備えるものとして、上記したような水受けタンクを省略することができるようした水栓スタンドが知られている。
【０００３】
このような水栓スタンドの浸入水排出構造は、具体的には、例えば、水栓スタンドの傾斜部の下側に、本体内部と連通する水抜き孔が形成され、水栓スタンドの先端から水栓スタンド内部に浸入した湯水は、この水抜き孔から排出されるように構成されている（例えば、特許文献１参照。）。
【０００４】
【特許文献１】特開２００４−６０４０７号公報（図１）
【発明の開示】
【発明が解決しようとする課題】
【０００５】
しかしながら、このような従来の浸入水排出構造では、水栓スタンドの内部に挿通されるホースを伝う湯水が水抜き孔に充分には集まらず、または、水抜き孔付近には集まっても水抜き孔から十分には排出できず、結局、水抜き孔を設けても浸入水の排出を充分には行うことができなかった。このため、結局はキャビネット内部等に湯水が滴下してしまい、水抜き孔を設けた本来の目的を達成することが出来ていなかった。
【０００６】
本発明は上記した従来の水栓スタンドの浸入水排出構造の問題点を解消するものであり、水栓スタンド内部に浸入した浸入水を水抜き孔から確実に排出させ、浸入水の排出効率を高めることのできる水栓スタンドの浸入水排出構造及び水栓スタンドの水切部材を提供することを目的とする。
【課題を解決するための手段】
【０００７】
以上の課題を解決するために、本発明の採った手段を以下に説明する。本発明の水栓スタンドの浸入水排出構造は、
ホースが引き出し自在に挿通されるとともに、鉛直方向に対して傾斜した傾斜部を備えた水栓スタンドの内部に浸入する浸入水を排出するための水栓スタンドの浸入水排出構造であって、前記傾斜部の内部には、ホースが引き出し自在に挿通される筒状の水切部が備えられ、該水切部の後端には、前記傾斜部の下方向に向けて突設される案内傾斜部が形成され、該案内傾斜部よりも下方の前記水栓スタンドの側壁面には、浸入水の排出口が設けられたことを特徴とする水栓スタンドの浸入水排出構造（請求項１）である。
【０００８】
水切部に、水栓スタンドの傾斜部の下方向に向けて突設される案内傾斜部を設けることにより、水切部内に挿通されているホースの外周面に付着して流れ落ちる浸入水を、案内傾斜部の下方に誘導することができる。よって、この案内傾斜部よりも下方に設けられた排出口から、湯水を確実に効率よく排出することができる。したがって、この排出口よりも下方に、浸入水が滴下するおそれがない。
【０００９】
「傾斜部を備えた水栓スタンド」は、水栓スタンドが湾曲形成されるなどしてその一部に傾斜した部位が備えられるものに限られず、水栓スタンド自体はストレートに形成されたものであっても取付面に対して傾斜されて取り付け固定される水栓スタンド全体も含むものである。「案内傾斜部」は傾斜部の下方向に向けて突設されるが、「下方向に向けて突設」とは、下方寄りに向けて突設されることを広く含み、鉛直方向に沿って突設されることのみならず、鉛直方向から傾斜した角度であっても下側に向けて突設されている場合も含む。「水切部」は、筒状に形成されて内部に「ホース」を挿通するものである。その断面形状は特に限定はされず、円筒状以外の筒状に形成されたものを広く含む。また、水栓スタンドの本体と一体に形成されるものも別体に形成されるものもいずれも含む。水栓スタンドに挿通される「ホース」には特にフレキシブル管などが用いられるが、その他の種類のホースを用いる水栓スタンドに適用することもできる。
【００１０】
また、ホースが引き出し自在に挿通されるとともに、鉛直方向に対して傾斜した傾斜部を備えた水栓スタンドの内部に浸入する浸入水を排出するための水栓スタンドの浸入水排出構造であって、前記傾斜部の内部には、ホースが引き出し自在に挿通される筒状の水切部が備えられ、該水切部のうち前記傾斜部の下方向に位置する部位に、ホース外周面を露呈させる開口部が形成され、該開口部内に、前記傾斜部の下方向に向けて突設される案内突起が形成され、該案内突起よりも下方の前記水栓スタンドの側壁面には、浸入水の排出口が設けられたことを特徴とする水栓スタンドの浸入水排出構造（請求項２）とすることもできる。
【００１１】
水切部内に浸入した浸入水は、当初、水切部内周面とホース外周面との間において生ずる浸入水の表面張力にも影響されて、ホース外周面の全周に渡って付着しているが、開口部を設けることによって、ホースの外周面が水切部の外部に露呈されてホース外周面の全周に渡って付着している浸入水がホース下側へと集まりやすくなる。そして、この開口部内に、集まった浸入水を排出口へと誘導する案内突起を設けることにより、開口部内に集まる浸入水を排出口から充分に排出させることができる。
【００１２】
「開口部」は、水切部のうち、傾斜部の下方向に位置する部位に開口されていれば良く、その形状・大きさなどに制限はないが、できるだけ大きく形成されて浸入水が集まりやすい形状・大きさに形成されることが望ましい。また、「案内突起」は、例えば、排出口に向けて開口部先端側から片持ち梁状に斜め下方に突設されるような形状などを例示できるが、同様にその形状・大きさなどに制限はない。しかしながら、排出口に向けて突設されていることが好ましく、また特に排出口内にまでその先端が至っていると浸入水をより確実に排出口に導くことが出来やすく望ましい。
【００１３】
また、ホースが引き出し自在に挿通されるとともに、鉛直方向に対して傾斜した傾斜部を備えた水栓スタンドの内部に浸入する浸入水を排出するための水栓スタンドの浸入水排出構造であって、前記傾斜部の下側寄りの内部には、浸入水が落ち込むように形成された流入口が形成され、該流入口の下部には、浸入水の排出口が設けられたことを特徴とする水栓スタンドの浸入水排出構造（請求項３）とすることもできる。
【００１４】
浸入水が落ち込むように形成された流入口を設けておくことにより、浸入水を流入口に集めることができる。そしてこの流入口の下部に排出口を設けることにより、集めた浸入水を排出することができ、浸入水を効率良く排出することができる。
【００１５】
また、ホースが引き出し自在に挿通されるとともに、鉛直方向に対して傾斜した傾斜部を備えた水栓スタンドの内部に浸入する浸入水を排出するための水栓スタンドの浸入水排出構造であって、請求項１に記載の前記案内傾斜部と前記排出口と、請求項２に記載の前記開口部、前記案内突起及び前記排出口とが備えられたことを特徴とする水栓スタンドの浸入水排出構造（請求項４）とすることもできる。また、ホースが引き出し自在に挿通されるとともに、鉛直方向に対して傾斜した傾斜部を備えた水栓スタンドの内部に浸入する浸入水を排出するための水栓スタンドの浸入水排出構造であって、請求項１に記載の前記案内傾斜部及び前記排出口と、請求項３に記載の前記流入口及び前記排出口とが備えられたことを特徴とする水栓スタンドの浸入水排出構造（請求項５）とすることもできる。また、ホースが引き出し自在に挿通されるとともに、鉛直方向に対して傾斜した傾斜部を備えた水栓スタンドの内部に浸入する浸入水を排出するための水栓スタンドの浸入水排出構造であって、請求項２に記載の前記開口部、前記案内突起及び前記排出口と、請求項３に記載の前記流入口及び前記排出口とが備えられたことを特徴とする水栓スタンドの浸入水排出構造（請求項６）とすることもできる。また、ホースが引き出し自在に挿通されるとともに、鉛直方向に対して傾斜した傾斜部を備えた水栓スタンドの内部に浸入する浸入水を排出するための水栓スタンドの浸入水排出構造であって、請求項１に記載の前記案内傾斜部及び前記排出口と、請求項２に記載の前記開口部、前記案内突起及び前記排出口と、請求項３に記載の前記流入口及び前記排出口とが備えられたことを特徴とする水栓スタンドの浸入水排出構造（請求項７）とすることもできる。
【００１６】
このような水栓スタンドの浸入水排出構造とすることにより、浸入水の排出をより確実に行うことができる。
【００１７】
また、水切部として、水栓スタンドとは別体に形成された水切部材を用いることが出来るが、水栓スタンドのホースが引き出し自在に挿通可能に設けられる筒状の水切部材であって、その後端には、案内傾斜部が突設されたことを特徴とする水栓スタンドに装着可能な水切部材（請求項８）や、水栓スタンドのホースが引き出し自在に挿通可能に設けられる筒状の水切部材であって、ホース外周面を露呈させる開口部が形成され、該開口部内に、前記傾斜部の下方向に向けて突設される案内突起が形成されたことを特徴とする水栓スタンドの水切部材（請求項９）や、水栓スタンドのホースが引き出し自在に挿通可能に設けられる筒状の水切部材であって、請求項８に記載の前記案内傾斜部と、請求項９に記載の前記開口部及び前記案内突起とが備えられたことを特徴とする水栓スタンドの水切部材（請求項１０）などを用いることもできる。
【００１８】
また、前記案内突起が、水栓スタンドの本体に対する係止突起と兼用されたものであることを特徴とする請求項２、４、６、７のいずれかに記載の水栓スタンドの浸入水排出構造若しくは請求項９または請求項１０に記載の水栓スタンドの水切部材（請求項１１）とすることもできる。
【００１９】
水切部を、水栓スタンドの本体と別体に形成された水切部材とする場合に、水栓スタンドの本体に対して水切部材を係止する手段として、案内突起を水栓スタンドの本体に係止させることにより実現することが出来る。このように係止突起と兼用することにより、水切部材の加工作業を簡略化することができる。
【発明の効果】
【００２０】
本発明の水栓スタンドの浸入水排出構造または水栓スタンドの水切部材は、上記のように構成されているので、水栓スタンドの内部に浸入する浸入水を確実に排出させることができる。また、特に請求項１１に記載の水栓スタンドの浸入水排出構造または水栓スタンドの水切部材は、水切部材の加工作業を簡略化させることにより、水栓スタンドの浸入水排出構造または水栓スタンドの水切部材の製造コストを低減させることができる。
【発明を実施するための最良の形態】
【００２１】
次に、本発明の水栓スタンドの浸入水排出構造の実施の形態を図を参考にして詳細に説明する。図１に示すように、水栓スタンドの浸入水排出構造１は、洗面台のデッキ面（図示省略）上に設置される水栓スタンド１０に設けられるものである。水栓スタンド１０のホルダー１１には、図２に示すように、その先端にシャワーヘッド３が脱着自在に取り付けられている。このシャワーヘッド３に接続されたホース２は、ホルダー１１内に引き出し自在に挿通されており、シャワーヘッド３をホース２ごと引き出すことにより、洗面ボウル（図示省略）内の所望の位置でシャワー散水を得ることができるように構成されている。そして、水栓スタンド１０下方に引き回されるホース２は、引き出しが可能な十分な長さに水栓スタンド１０の下方に垂れ下げられ、さらにその先端は、カウンターに別途設置された水栓（図示省略）に接続されており、水栓から流出される湯水等はホース２を経てシャワーヘッド３から吐出される。
【００２２】
ホルダー１１は、その下端に取り付けられたパイプ５とともに、水栓スタンド１０のベース６に対して一定の高さまで上方に引き出し自在に設けられている。ホルダー１１は、上方に引き出された際にパイプ５によってベース６に対して保持され、ホルダー１１先端に保持されたシャワーヘッド３からの高い位置からシャワー散水を得ることができ、洗面台において洗髪を行うなどの際の利便性を高めている。
【００２３】
図１に示すように、ホルダー１１は、その先端寄りがホルダー１１正面側に向けて緩やかに湾曲して形成されており、先端に取り付けられたシャワーヘッド３から洗面ボウル中央付近に向けて散水を行うことができるように構成されている。ホルダー１１の本体１２は湾曲形成された円筒状にその全体が形成されており、その先端側には、水切部材４０が装着される先端開口部１４が、基端側にはパイプ５が取り付けられる基端開口部１６が形成されている。本体１２は、基端側から先端側にかけてホルダー１１正面側に向けて緩やかに湾曲して形成されており、先端付近の軸心は、基端付近の軸心に対して約６０度傾斜して形成されている。本体１２の基端部は、鉛直方向に沿って立設されるように設けられており、本体１２の先端付近は鉛直方向に対しても約６０度傾いて取り付けられることになる。また、本体１２は、その基端から先端にかけての全ての部位において緩やかに湾曲されており、本体１２の全体が本発明の「傾斜部」に相当することになる。
【００２４】
また、ホルダー１１の先端には、後述する水切部材４０が装着されており、ホース２は、この水切部材４０内に挿通されてホルダー１１内に収容されている。本体１２の先端寄り内周面には、水切部材４０の位置決めを行うために本体１２の軸心に沿って溝２４が形成されている。また、ホース２はいわゆるフレキシブル管が用いられており、十分な強度とともに適度な可撓性を有し、水切部材４０や水栓スタンド１０の内壁面などに引っかかることなく円滑に引き出し・収納されるように構成されている。
【００２５】
そして、本体１２の正面側の側壁面には、上下にそれぞれ、ホルダー１１内に浸入した浸入水を排出するための第一・第二排出口１８，２６が設けられている。第一排出口１８は、本体１２の先端開口部１４よりもやや基端側寄り正面に形成されている。第一排出口１８は、本体１２の側壁面に凸状に開口されており、後述する水切部材４０の案内突起５４の先端に形成された係止突起５６が係止される係止孔部２０と、係止突起５６が係止孔部２０に係止された状態で開口されて浸入水が排出される排出部２２とから構成される。また、第二排出口２６は本体１２の基端付近の正面に形成されている。第二排出口２６は本体１２の側壁面に横長の長孔状に開口されている。これらの第一・第二排出口１８，２６は、図３に示すように、本体１２の側壁面に、その内部から外部に向けて同一方向に開口されており、型抜きが容易となるように設けられている。
【００２６】
また、基端開口部１６には、パイプ５が螺着される雌ネジ部２８が形成されている。この雌ネジ部２８は、図３及び図７に示すように、その中心が基端開口部１６の背面寄りに偏芯されて形成されており、図３に示すように、基端側開口部１６に取り付けられるパイプ５と第二排出口２６が形成された部位の本体１２の正面側の内壁面との間に、浸入水が落ち込むように形成された隙間状の流入口２９が生じるように構成されている。このようにして、流入口２９の下部に設けられた第二排出口２６から浸入水が充分に排出されるようにされている。
【００２７】
ついで、本体１２とは別体に設けられた水切部の一例である水切部材４０について説明する。図４に示すように、水切部材４０は、僅かに湾曲された円筒状に形成されており、その内部にホース２を挿通可能に構成されている。水切部材４０の先端開口部４２はホース２の外径（約１４mm）よりも僅かに大径（約１４．１mm）に形成されており、ホース２が挿通された状態の先端開口部４２から湯水が容易には浸入しないように構成されている。一方、基端開口部４４はホース２外径よりもやや大きく（約１６mm）形成されており、内部に挿通されるホース２との間にはある程度の隙間が生じる程度に形成されている。また、水切部材４０先端開口部４２外周面には、シャワーヘッド３の開口部４の内周面に形成されたセレーション（図示省略）が噛合されて、保持されるシャワーヘッド３の周り止めを行うためのセレーション４５が刻設されている。また、図３にも示すように、本体１２内壁面との水密を図るシール部材４６が装着される周溝４８が、先端寄り及び基端よりの２箇所にそれぞれ形成されている。
【００２８】
また、図４及び図５に示すように、水切部材４０の湾曲内側面の中央付近には、内部に挿通されるホース２が露呈されるようにした開口部５０が形成されている。この開口部５０は、水切部材４０の外周方向のほぼ半分に渡って開口されており、挿通されるホース２の外周面も、周方向のおよそ半分が露呈されるように構成されている。また、水切部材４０の軸心方向には約２１mmの長さに渡って開設されている。
【００２９】
また、この開口部５０の先端開口部４２寄りの壁面５２からは、基端側開口部４４方向に向けて、水切部材４０の軸心から外側に向かって、斜めに突設された案内突起５４が形成されている。具体的には、案内突起５４は、先端開口部４２付近の水切部材４０の軸心からその外側に向けて約３１度の角度で突設されている。また、案内突起５４の先端外側には、上記したように本体１２の第一排出口１８の係止孔部２０に弾性的に係止されて、水切部材４０を本体１２に固定するための係止突起５６が形成されている。また、この案内突起５４は、幅が約４．５mm、壁面５２からの長さが約１．２５mmに形成されている。また、水切部材４０が本体１２に装着された際に、案内突起５４が設けられた部位が収容される部位の本体１２は、上記したようにその基端部に対して約６０度の角度に傾斜されている。したがって、案内突起５４は、水切部材４０が本体１２に挿通された状態で鉛直方向からは約２９度の角度で下方に突設されていることになる。なお、先端開口部４２付近の水切部材４０の軸心からその外側に向けて突設される案内突起５４の角度は、本体１２の傾斜部の下方向に向けて突設されていれば他の角度に形成することとしても良い。
【００３０】
先端開口部４２から水切部材４０内に浸入した浸入水は、当初、水切部材４０内周面とホース２外周面との間において生ずる浸入水の表面張力にも影響されて、ホース２外周面の全周に渡って付着しているが、開口部５０によって水切部材４０外部に露呈された部位において、ホース２下側に集まりやすくなる。そして、開口部５０によってホース２下側に集まった浸入水は、さらに壁面５２から斜め下に向けて突設された案内突起５４に誘導されて第一排出口１８へと導かれる。
【００３１】
また、開口部５０が開設された部位の反対側の水切部材４０外周面には、２つの周溝４８の間に渡って、突条５８が形成されている。上記したように、水切部材４０を本体１２に装着する際には、この突条５８を溝２４内に合わせて係合して装着することにより、本体１２に対する水切部材４０の適切な位置決めを行うことができる。また、この突条５８が設けられた水切部材４０外周面には、突条５８と直交するようにして、水切部材４０の周方向に、補強用のリブ６０が形成されている。
【００３２】
また、図６にも示すように、水切部材４０の基端側には、基端開口部４４の一部から突設された案内傾斜部６２が備えられている。案内傾斜部６２は、水切部材４０の側面から見て三角形状となるように形成されており、その外側面６４は、水切部材４０の外周面に沿って延設され、水切部材４０の外周面に沿うような形状とされて、図３に示すように、本体１２の内壁面と密接する形状に形成されている。よって、外側面６４と本体１２の内壁面との間に浸入水が付着するようなおそれはない。
【００３３】
また、内側面６６は、基端側から先端にかけて外側面６４方向に肉薄になるように形成されており、内側面６６内には、ホース２外周面から滴下した浸入水が導かれる誘導溝６８が形成されている。したがって、上記した第一排出口１８によっては排出されなかった浸入水は、この案内傾斜部６２の誘導溝６８に沿って、本体１２正面側（下側）に誘導される。そして、このように誘導された浸入水は、本体１２正面側内部の流入口２９へと集中的に流下され、第二排出口２６から本体１２外部へと排出される。
【００３４】
ここで、上記した例では、案内傾斜部６２の内側面６６は、水切部材４０の基端開口部４４付近の軸心に対して約６２．５度の角度に傾斜して形成されている。また、誘導溝６８の基端側底面７０から先端部７２にかけては、同じく水切部材４０の基端開口部４４付近の軸心に対して約３７度の角度に傾斜されている。なお、案内傾斜部６２の内側面６６及び誘導溝６８の水切部材４０の基端開口部４４付近の軸心に対する角度は、本体１２の傾斜部の下方向に向けてそれぞれが向けられていれば他の角度に形成することとしても良い。
【００３５】
このように構成された水栓スタンド１０では、水切部材４０の先端開口部４２から内部に浸入した浸入水は、図３に示すように、ホース２外周面下方寄りへと徐々に流下し、上記したように、特に、開口部５０内でホース２下方側に誘導され、さらに案内突起５４を伝って第一排出口１８から本体１２外に排出される（Ａ矢印）。開口部５０内に誘導されなかった浸入水や、この開口部５０内で案内突起５４へと伝わらなかった浸入水や、案内突起５４に誘導されたが第一排出口１８からは排出することができなかった浸入水は、開口部５０よりも基端側に流下していくが、ホース２外周面や水切部材４０内周面を伝って開口部５０後方に流下していく浸入水が、案内傾斜部６２の誘導溝６８を伝って第二排出口２６が形成された本体１２の正面側（下側）へと導かれる（Ｂ矢印）。そして、本体１２の正面側に導かれた浸入水は、流入口２９へと集まり、最終的には第二排出口２６から本体１２外に排出されることになる（Ｃ矢印）。
【００３６】
本発明は上記した実施の形態に限られるものではなく、本発明の趣旨の範囲内で種々の変更が可能である。例えば、上記例では、本体１２と別体の水切部材４０を用いたが、上記構成の水切部材４０をホルダー１１の本体１２に一体化させたものを用いることとしても良い。また、例えば、本体１２全体はストレート形状に形成された上で、取付面に対して傾斜して設置されるように構成されたものでも良い。また、ホース２はフレキシブル管からなるものを示したが、それ以外のビニール管などを用いるものにも適用することはできる。また、本例では、第一排出口１８は、水切部材４０を本体１２に固定するための係止孔を兼用しているが、水切部材４０の係止手段は別に設けるなどとして別の形状・大きさとすることもできる。同様に、他に係止手段を設けるのであれば、案内突起５４に係止突起５６を設ける必要はない。また、案内突起５４の形状は、ほぼ四角柱状に形成されているが、他の断面形状でも良い。また、第二排出口２６の形状も横長の長孔状に限られず他の形状でも良いが、浸入水を十分に排出するためには、上記例のように長孔状に形成することが望ましい。また、案内傾斜部６２に誘導溝６８を形成しないものも可能であるが、第二排出口２６方向に浸入水を向ける必要がある場合には、誘導溝６８を形成することが望ましい。
【図面の簡単な説明】
【００３７】
【図１】本発明の浸入水排出構造を用いた水栓スタンドのホルダーの斜視図である。
【図２】水栓スタンドの側面視縦断面図である。
【図３】浸入水排出構造を示す水栓スタンドの要部拡大縦断面図である。
【図４】水切部材の斜視図である。
【図５】水切部材の案内突起周辺の拡大図である。
【図６】水切部材の案内傾斜部周辺の拡大図である。
【図７】ホルダーの本体の下部の平面視横断面図である。
【符号の説明】
【００３８】
１；水栓スタンドの浸入水排出構造、２；ホース、３；シャワーヘッド、４；開口部、５；パイプ、６；ベース、１０；水栓スタンド、１１；ホルダー、１２；本体、１４；先端開口部、１６；基端開口部、１８；第一排出口、２０；係止孔部、２２；排出部、２４；溝、２６；第二排出口、２８；雌ネジ部、２９；流入口、４０；水切部材、４２；先端開口部、４４；基端開口部、４５；セレーション、４６；シール部材、４８；周溝、５０；開口部、５２；壁面、５４；案内突起、５６；係止突起、５８；突条、６０；リブ、６２；案内傾斜部、６４；外側面、６６；内側面、６８；誘導溝、７０；基端側底面、７２；先端部。
【図１】
2007016454.tif 000003
【図２】
2007016454.tif 000004
【図３】
2007016454.tif 000005
【図４】
2007016454.tif 000006
【図５】
2007016454.tif 000007
【図６】
2007016454.tif 000008
【図７】
2007016454.tif 000009